(57)【要約】【課題】ＤＭＧビーコンによる発見において、発見対象であるＳＴＡが増加した場合であっても、高速な発見（２００ｍｓｅｃ未満）を実現すること。【解決手段】ＡＰ／ＰＣＰまたはＳＴＡ（無線通信装置）は、複数のＤＭＧビーコンを含む送信フレームを生成するフレーム構成部１０３と、ＢＴＩにおいて、前記複数のＤＭＧビーコンのうち、１つ以上の第１のＤＭＧビーコンに対して、第１の位相調整を行うことによって指向性送信を１つ以上の送信セクタを用いて行い、前記複数のＤＭＧビーコンのうち、１つ以上の第２のＤＭＧビーコンに対して、第２の位相調整を行うことによって疑似オムニ送信を行う、送信無線部１０５と、を含む。【選択図】図４
2017163540.tif 000002
【特許請求の範囲】
【請求項１】
複数のＤＭＧビーコンを含む送信フレームを生成するフレーム構成部と、
ＢＴＩにおいて、
前記複数のＤＭＧビーコンのうち、１つ以上の第１のＤＭＧビーコンに対して、第１の位相調整を行うことによって指向性送信を１つ以上の送信セクタを用いて行い、
前記複数のＤＭＧビーコンのうち、１つ以上の第２のＤＭＧビーコンに対して、第２の位相調整を行うことによって疑似オムニ送信を行う、
送信無線部と、
を含む、無線通信装置。
【請求項２】
ＤＴＩにおいて、前記複数のＤＭＧビーコンを送信した通信相手より、疑似オムニ送信により送信されたプローブ応答及び相互アンテナトレーニングに用いるシーケンス信号を受信する受信部と、
前記シーケンス信号に示される通信相手の受信セクタに対応する送信セクタを前記１つ以上の送信セクタから選択する制御部と、
を含む、
請求項１に記載の無線通信装置。
【請求項３】
前記フレーム構成部は、前記プローブ応答に対するａｃｋ信号を生成し、
前記送信無線部は、前記ａｃｋ信号を前記選択した送信セクタを用いて、指向性送信を行う、
請求項２に記載の無線通信装置。
【発明の詳細な説明】
【技術分野】
【０００１】
本開示は、無線通信装置に関する。
【背景技術】
【０００２】
IEEE 802.11adにおいて、ミリ波帯域を用いて無線通信を行う無線通信装置は、ＤＭＧ（directional multi-gigabit）ビーコンによるデバイス発見手順では、ビーコン送信間隔（Beacon Transmission Interval：ＢＴＩ）を次のように使用する。
【０００３】
（１）ＤＭＧに対応したＳＴＡ（station）（以後、ＤＭＧ−ＳＴＡ、またはＳＴＡ）は、ＤＭＧに対応したＡＰ（アクセスポイント）／ＰＣＰ（Personal basic service set Central Point）(以後、ＤＭＧ−ＡＰ／ＰＣＰ、または、ＡＰ／ＰＣＰ)、のＢＴＩにおいてＤＭＧビーコンを受信する。
【０００４】
（２）ＤＭＧ−ＳＴＡは、発見モードフィールドを１に設定したＤＭＧビーコン（以下では「発見ＤＭＧビーコン」）を、ＤＭＧ−ＳＴＡのＢＴＩにおいて送信する。
【０００５】
（３）ＤＭＧにおける指向性を考慮して、ＢＴＩは、送信セクタスイープとして送信される１つ以上の（最大１２８の）ＤＭＧビーコンにより構成される。
【０００６】
（４）オーバーヘッドを減らすため、ＤＭＧビーコンでは、発見に必要なフィールド（例：ＳＳＩＤ（Service Set IDentifier）、ＤＭＧ能力）を含むいくつかのフィールドが省略される。
【先行技術文献】
【特許文献】
【０００７】
【非特許文献１】IEEE 802.11adTM -2012   329〜341頁  10.1 Synchronization
【発明の概要】
【発明が解決しようとする課題】
【０００８】
しかしながら、従来のミリ波帯域を用いた通信において、ＤＭＧビーコンによる発見では、発見対象であるＳＴＡが増加した場合、高速な発見（２００ｍｓｅｃ未満）については、十分考慮されていなかった。
【課題を解決するための手段】
【０００９】
本開示の一態様に係る無線通信装置は、複数のＤＭＧビーコンを含む送信フレームを生成するフレーム構成部と、ＢＴＩにおいて、前記複数のＤＭＧビーコンのうち、１つ以上の第１のＤＭＧビーコンに対して、第１の位相調整を行うことによって指向性送信を１つ以上の送信セクタを用いて行い、前記複数のＤＭＧビーコンのうち、１つ以上の第２のＤＭＧビーコンに対して、第２の位相調整を行うことによって疑似オムニ送信を行う、送信無線部と、を含む。
【００１０】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１１】
本開示の一態様によれば、ＤＭＧビーコンによる発見において、発見対象であるＳＴＡが増加した場合であっても、高速な発見（２００ｍｓｅｃ未満）を実現することができる。
【図面の簡単な説明】
【００１２】
【図１】本開示に係る指向性送信によるＤＭＧビーコンを用いたデバイス発見手順の一例を示す図
【図２】本開示に係る指向性送信によるＤＭＧビーコンを用いたデバイス発見手順の他の一例を示す図
【図３】本開示に係る指向性送信によるＤＭＧビーコンを用いたデバイス発見手順の他の一例を示す図
【図４】本開示の実施の形態１に係るＡＰ／ＰＣＰまたはＳＴＡの構成を示す図
【図５】本開示の実施の形態１に係る疑似オムニ送信によるＤＭＧビーコンを用いたデバイス発見手順の一例を示す図
【図６】本開示の実施の形態１に係るＳＳＷフィールド（ＤＭＧビーコン：ＤＢｃｎ）のフォーマットの一例を示す図
【図７】本開示の実施の形態２に係る疑似オムニ送信によるＤＭＧビーコンを用いたデバイス発見手順の他の一例を示す図
【図８】本開示の実施の形態３に係る疑似オムニ送信によるＤＭＧビーコンを用いたデバイス発見手順の他の一例を示す図
【図９】本開示の実施の形態３に係るＳＳＷフィールド（ＤＭＧビーコン：ＤＢｃｎ）のフォーマットの一例を示す図
【発明を実施するための形態】
【００１３】
多くのアプリケーションでは高速な発見（２００ｍｓ未満）が望ましい。このため、高速な発見のためにはパッシブ（静的）スキャンは理想的ではない。
【００１４】
なお、ＡＰ／ＰＣＰは、発見情報が含まれる送信セクタスイープの頻度を増加することによってオーバーヘッドが大きくなる。
【００１５】
このため、アクティブ（動的）スキャンでは、プローブ応答を取得する前にビームフォーミングを実施するため、発見時間が増大する。
【００１６】
図１は、指向性送信によるＤＭＧビーコンを用いたデバイス発見手順の一例を示す図である。
【００１７】
図１では、ＳＴＡはビームフォーミング（Ａ−ＢＦＴ：Association BeamForming Training）を実行する。なぜならＢＴＩには発見情報を含まないためである。なお、Ａ−ＢＦＴは省略してもよい。
【００１８】
Ａ−ＢＦＴを頻繁に実行する場合、オーバーヘッドが加わる（少なくとも９９．１μｓ／ＢＩ）ためである。このため、いくつかのデバイス（ＳＴＡ，ＡＰ／ＰＣＰ）が，Ａ−ＢＦＴの使用する場合、衝突率が上昇し、結果としてさらなる遅延が生じる。
【００１９】
図３は、ＤＴＩにおけるＳＬＳ（Sector Level Sweep）を示す図である。ここで、図３では、ＤＴＩにおいて、ＳＬＳ（Sector Level Sweep）を実行する。ＳＴＡは、図３のＳＬＳによって、発見情報を得ることができるが、少なくとも数ミリ秒かかる。
【００２０】
図２は、指向性送信によるＤＭＧビーコンを用いたデバイス発見手順の他の一例を示す図である。
【００２１】
図２では、ＳＴＡは、ＢＴＩにおいて、発見モードを１に設定するため、Ａ−ＢＦＴにおいて、ピアＳＴＡから応答を予測するが、例えば、割り当てられたにおいて、他のＳＴＡとの衝突が発生し、ピアＳＴＡ（ＡＰ／ＰＣＰ）がＡ−ＢＦＴを使用困難となる場合がある。
【００２２】
また、ＡＰ／ＰＣＰは、基地局装置としての動作を優先させる可能性が高く、ＳＴＡによるビームフォーミングを遅らせることがある。このため、複数のデバイス（ＳＴＡ）がＡ−ＢＦＴの使用を試みる場合、衝突率が上昇し、結果としてさらなる遅延が生じる。
【００２３】
なお、ＳＴＡは、ＡＰ／ＰＣＰがビームフォーミングを開始するまでＡＰ／ＰＣＰを認識しない。
【００２４】
ここで、完全なオムニ（全方位）送信をＤＭＧにおいて達成することは困難であり、擬似オムニ送信は、指向性送信の十分な範囲をカバーすることも困難である。なお、擬似オムニ送信とは、オムニ送信の一部のエリアについて送信するビームであり、１つの送信セクタに送信する指向性送信よりも、広いエリアに送信する、つまり、複数の送信セクタに送信することを意味する。
【００２５】
（実施の形態１）
図４は、ＡＰ／ＰＣＰまたはＳＴＡ（無線通信装置）の構成を示す図である。
ＡＰ／ＰＣＰまたはＳＴＡは、制御部１０１、フレーム信号生成部１０２、フレーム構成部１０３、変調部１０４、送信無線部１０５、送信アンテナ部１０６、受信アンテナ部１０７、受信無線部１０８、復調部１０９、フレーム解析部１１０、を含む。
【００２６】
制御部１０１は、送信するフレーム構成をフレーム信号生成部１０２に指示し、送信フレームに合わせて、送信無線部１０５を制御して、送信アンテナ部１０６及び受信アンテナ部１０７に指向性送信、疑似オムニ送信を実行させる。また、制御部１０１は、受信無線部１０８及び復調部１０９を制御して受信処理を実行させる。なお、制御部１０１は、発見情報を図示しない上位層に報告し、報告に基づく接続命令が入力される。なお、接続命令は、上位層での判断であってもよいし、ユーザによる決定であってもよい。ユーザの決定は、図示しない外部入力部から入力される。
【００２７】
フレーム信号生成部１０２は、制御部１０１の指示に従い、送信フレームに用いるフレーム構成信号を生成する。
【００２８】
フレーム構成部１０３は、フレーム構成信号及びデータを用いて、送信フレームを生成する。
【００２９】
変調部１０４は、制御部１０１の指示に従い、送信フレームを、例えば、ＱＰＳＫなどの変調方式を用いて、変調信号を生成する。
【００３０】
送信無線部１０５は、送信アンテナ部１０６から任意の送信セクタに指向性送信または、疑似オムニ送信を行うために、変調信号の位相調整を行い、位相調整後の変調信号の周波数変換を行い無線信号に変換する。
【００３１】
送信アンテナ部１０６は、無線信号を、指向性送信または疑似オムニ送信によって送信する。
【００３２】
受信アンテナ部１０７は、指向性送信または疑似オムニ送信によって送信された無線信号を、任意の受信セクタにおいて指向性受信または疑似オムニ受信することによって、受信する。受信無線部１０８は、制御部１０１の指示に従い、受信した無線信号を、周波数変換を行い、ベースバンド信号に変換する。
【００３３】
復調部１０９は、制御部１０１の指示に従い、ベースバンド信号を、復調し、送信フレームを出力する。
【００３４】
フレーム解析部１１０は、送信フレームに含まれるフレーム構成信号を解析し、発見情報（プローブ要求、プローブ応答、発見ＤＭＧビーコン（ＤＢｃｎ））を制御部１０１に出力する。
【００３５】
図５は、疑似オムニ送信によるＤＭＧビーコンを用いたデバイス発見手順の一例を示す図である。
【００３６】
デバイス発見を実行するＳＴＡが、ＢＴＩ中にＤＭＧビーコンの擬似オムニ送信を含める。ＤＭＧビーコン（ＤＢｃｎ）は、例えば、発見モードフィールドを１に設定することによって、ＳＴＡが発見用に使用されることを示す。各ＤＭＧビーコンの１ビットを使用して、ＢＴＩに１つ以上の擬似オムニ送信が含まれるか否かを示す。
【００３７】
なお、ＳＴＡの擬似オムニ送信するＤＭＧビーコンは、制御ＭＣＳで送信される。例えば、制御ＭＣＳは、11adで規定されているＭＣＳ０でもよい。疑似オムニ送信は、ＭＳＣ０を用いることで、送信エリアを最大限拡大することができる。
【００３８】
図６は、ＳＳＷフィールドのフォーマットの一例を示す図である。例えば、ＢＴＩにおいて予約されているＲＸＳＳ長さフィールドの２ビットを使用して、ＢＴＩに１つ以上の擬似オムニ送信が含まれるか否かを示す。なお、ＳＳＷフィールドは、ＢＴＩにおけるＤＭＧビーコン（ＤＭＧビーコン）の一構成要素としても使用でき、Ａ−ＢＦＴにおけるＳＳＷフレームの一構成要素としても使用できる。
【００３９】
図５において、ＳＴＡは、擬似オムニ送信ＤＭＧビーコンを、ＢＴＩの少なくとも最後に送信し、ＡＰからのプローブ応答を（暗黙的または明示的に）要求する。
【００４０】
ここで、ＡＰは、複数の指向性送信と１つ以上の擬似オムニ送信とによるＤＭＧビーコンを受信する場合、例えば、別のデバイスとの衝突、または、ＡＰのスケジュールとの矛盾によって、ＳＴＡによるＡ−ＢＦＴビームフォーミングを完了しない。
【００４１】
なお、衝突は、限られた時間に複数のＳＴＡが一斉にＡＰにアクセスを行うことによって生じる状態を指す。また矛盾は、ＡＰが指定していたスケジュール（ＳＬＳを送信するＳＴＡの順番）があるにも関わらず、スケジュールを知らないSTAが任意の時刻にビームフォーミングトレーニングを行うことによって生じる状態を指す。
【００４２】
次に、ＤＴＩにおいて、ＡＰは、相互アンテナトレーニングを実行するためのＴＲＮ−Ｒシーケンスを付加した（例えば１つの）擬似オムニ送信によって、プローブ応答を送信する。なお、ＴＲＮ−Ｒシーケンスは、擬似オムニ送信の範囲において、指向性送信としてスイープしてもよい。
【００４３】
ＳＴＡは、プローブ応答を受信し、なお、ＴＲＮ−Ｒシーケンスを付加したＡＣＫを指向性送信で応答してもよい。ＳＴＡは、ＴＲＮ−Ｒシーケンスの受信から最良の受信セクタを識別して格納し、アンテナの相互関係に基づいて最良の受信セクタから最良の送信セクタを識別して格納する。
【００４４】
なお、ＳＴＡは、時間内に求めることができた場合、最良の送信セクタによってＡＣＫを送り、そうでない場合、擬似オムニ送信として送る。
【００４５】
ＡＰは、ＡＣＫを受信し、ＴＲＮ−Ｒシーケンスの受信から最良の受信セクタを識別して格納する。なお、ＡＰは、アンテナの相互関係に基づいて最良の受信セクタから最良の送信セクタを識別して格納する。
【００４６】
以上より、ＳＴＡは、ＢＴＩにおける（ＤＭＧビーコンの）送信セクタスイープ（ＴＸＳＳ）に含まれる擬似オムニ送信を、ＤＭＧビーコンフレームとすることができる。
【００４７】
なお、相互アンテナトレーニングのために指向性送信されるＴＲＮシーケンスを、ＤＴＩにおいて、ＤＭＧビーコンの擬似オムニ送信に付加してもよい。
【００４８】
また、ＤＭＧビーコンの擬似オムニ送信によって、ピアデバイス（ピアＳＴＡ）からのプローブ応答を要求することができる。
【００４９】
また、ＤＭＧビーコンの擬似オムニ送信は、ＳＴＡが擬似オムニ送信であることを示すことができる。
【００５０】
また、擬似オムニ送信の位置が固定されている場合（例：ＢＴＩの最後）、明示的な指示情報（例えば、発見モードに１を設定すること）を含まなくてもよい。
【００５１】
ＤＭＧビーコンの擬似オムニ送信は、擬似オムニ送信の数を示す、または複数の擬似オムニ送信が1つのＢＴＩに含まれることを示すことができる。
【００５２】
ＤＭＧビーコンの指向性送信は、ＢＴＩ／ＴＸＳＳに擬似オムニ送信が含まれることを示すことができる。
【００５３】
ＤＭＧビーコンの指向性送信は、1つ以上のＢＴＩにわたり断片化（フラグメンテーション）することができ、１つ以上のＢＴＩにＤＭＧビーコンの擬似オムニ送信が含まれてもよい。
【００５４】
デバイス発見を実行するＳＴＡは、ＢＴＩにおいてＤＭＧビーコンを送信することができる（図５参照）。
【００５５】
デバイス（ＳＴＡ、ＡＰ/ＰＣＰ）は、１つ以上のＤＭＧビーコンに対して擬似オムニ送信を用いた場合（図５参照）、Ａ−ＢＦＴに対して、全てのＤＭＧビーコンに対して指向性送信を用いた場合（図１、図２参照）とは異なる設定（長さ／頻度／存在の有無／その他）を示すことができる。
【００５６】
デバイス（ＡＰ）は、図５のＢＴＩにおいて、送信セクタスイープ（ＴＸＳＳ）の一部として、擬似オムニ送信によって送信される１つ以上のＤＭＧビーコンを受信する。
【００５７】
図５において、擬似オムニ送信が受信された場合、デバイス（ＡＰ）は、正常なビームフォーミング交換の前（Ａ−ＢＦＴでのＳＬＳが衝突、矛盾の発生なしに完了すること）に、フレーム（例えば、プローブ応答、ＡＣＫ返信）を送信することができる。なお、送信するフレーム（ＡＰにプローブ応答）は、制御ＭＣＳにおける擬似オムニ送信とすることができる。
【００５８】
ＳＴＡは、受信された擬似オムニ送信のプローブ応答に指向性ＴＲＮシーケンスが含まれている場合、送信するフレーム（図５ではＤＴＩにおけるＡＣＫ）を指向性送信とすることができる。
【００５９】
送信するフレームは、発見情報を要求するフレーム、または、発見情報を含むフレーム、例えば、プローブ要求、プローブ応答、発見ＤＭＧビーコン（ＤＢｃｎ）である。
【００６０】
図５のＤＴＩにおいて、ＡＰは、送信するフレーム（プローブ応答）に、ＴＲＮ−Ｒシーケンスの代わりに、ビーム微調整を要求／開始するＢＲＰ（beam refinement protocol）フレームを付加してもよい。
【００６１】
送信するフレームは、ピアデバイスへのビームフォーミングフィードバック、例えば、最良の送信セクタを含めることができる。
【００６２】
送信するフレームは、相互アンテナトレーニングのために指向性送信されるＴＲＮシーケンスを付加することができる。
【００６３】
擬似オムニＤＭＧビーコンが受信されない場合、デバイス（ＳＴＡ）はピアデバイス（ＡＰ）への擬似オムニ送信を回避してもよく、ピアデバイスの発見及びピアデバイスへの接続を回避してもよい。
【００６４】
以上より、ＡＰは、制御ＭＣＳによる疑似オムニ送信の範囲内のデバイス（ＳＴＡ）を、高速に発見することができる。
【００６５】
また、ＢＴＩにおいて擬似オムニ送信を含めることによって、ピアデバイス（ＡＰ）は、デバイス（ＳＴＡ）の発見及びデバイス（ＳＴＡ）との接続を実行するかどうか否かを認識することができる。
【００６６】
また、デバイス（ＳＴＡ）が、ＢＴＩにおいて、擬似オムニ送信に発見情報を含めることによって、ピアデバイス（ＡＰ）は、最小限のオーバーヘッドでデバイス（ＳＴＡ）を発見することができる。
【００６７】
（実施の形態２）
実施の形態１では、ＢＴＩにおいて、指向性送信によるＤＭＧビーコンの送信の後に、ＳＴＡによる、疑似オムニ送信によるＤＭＧビーコンの送信について説明したが、実施の形態２では、指向性送信によるＤＭＧビーコンの送信のそれぞれに、ＳＴＡによる１つ以上のＴＲＮシーケンスを付加について説明する。
【００６８】
図７は、疑似オムニ送信によるＤＭＧビーコンを用いたデバイス発見手順の他の一例を示す図である。
【００６９】
図７のＢＴＩでは、まず、デバイス発見を実行するＳＴＡが、ＢＴＩにおいて指向性送信ＤＭＧビーコンそれぞれに、１つ以上のＴＲＮシーケンスを付加し、制御ＭＣＳによって疑似オムニ送信される。
【００７０】
ＤＭＧビーコンは、例えば、発見モードフィールドを１に設定することによって、ＳＴＡの発見に使用されることを示し、また、ＰＨＹヘッダ内に付加される１×ＴＲＮ（例：ＴＲＮ−Ｔ）シーケンスを含む。なお、ＴＲＮ−Ｔは複数のシーケンスであってもよい。
【００７１】
なお、ＤＭＧビーコンは、ＡＰからのプローブ応答を暗黙的または明示的に要求する。
【００７２】
次に、ＡＰは、１つ以上の指向性送信ＤＭＧビーコンとそれぞれに付加された１つ以上のＴＲＮ−Ｔシーケンスを受信し、１つの以上のＴＲＮ−Ｔシーケンスを擬似オムニ送信において使用することを認識する。
【００７３】
次に、ＡＰは、ＤＴＩにおいて、例えば複数の擬似オムニ送信によってプローブ応答を送信する。
【００７４】
ＳＴＡは、プローブ応答を受信する。なお、ＳＴＡがＡＣＫで応答した場合、ＡＰがＡＣＫを受信する。
【００７５】
これによって、Ａ−ＢＦＴにおいて、衝突、矛盾が発生した場合であっても、ビームフォーミングトレーニング（ＴＲＮ）シーケンスを、ＢＴＩにおける指向性送信される複数のＤＭＧビーコンに付加することができる。
【００７６】
また、ＴＲＮシーケンスの送信を、複数のＢＴＩにわたって断片化（フラグメンテーション）、つまり、ＤＴＩに続くＢＴＩにおいても、ＴＲＮシーケンスを送信することができる。
【００７７】
なお、ＴＲＮシーケンスの擬似オムニ送信が付加された指向性送信されるＤＭＧビーコンは、ＴＲＮシーケンスのために擬似オムニ送信が使用されることを明示的に示さなくてもよい。
【００７８】
また、ＳＴＡは、ＴＲＮシーケンスの擬似オムニ送信が付加された指向性送信されるＤＭＧビーコンによって、ピアデバイスからのプローブ応答を要求することができる。
【００７９】
以上より、制御ＭＣＳによる擬似オムニ送信の範囲内のデバイスを、高速または優先的に発見することができる。
【００８０】
なお、ＢＴＩにおいて擬似オムニ送信を含めることによって、ピアデバイスは、デバイスの発見／デバイスとの接続を実行するかどうかを認識することができる。
【００８１】
ＡＰは、ＢＴＩにおける擬似オムニ送信に発見情報を含めることによって、最小限のオーバーヘッドで、デバイス（ＳＴＡ）を発見することができる。
【００８２】
（実施の形態３）
実施の形態３は、ＢＴＩにおいて、ＡＰによる疑似オムニ送信によるＤＭＧビーコンの送信について説明する。
【００８３】
図８は、疑似オムニ送信によるＤＭＧビーコンを用いたデバイス発見手順の他の一例を示す図である。
【００８４】
ＡＰは、ＢＴＩにおけるＤＭＧビーコンに1つ以上の擬似オムニ送信を含める。なお、ＤＭＧビーコンは、各ＤＭＧビーコンの１ビットを使用して、ＢＴＩに擬似オムニ送信が含まれるか否かを示す。なお、ＤＭＧビーコンは、各ＤＭＧビーコンの１ビットを使用して、フレームが擬似オムニ送信であるか否かを示してもよい。なお、各ＤＭＧビーコンの擬似オムニ送信の送信セクタは、送信毎に異なってもよい。
【００８５】
図９は、ＳＳＷフィールドのフォーマットの一例を示す図である。擬似オムニ送信ＤＭＧビーコンの１ビット、例えば、（ＢＴＩにおいて予約されている）ＲＸＳＳ長さフィールドの３ビットを使用することによって、複数の擬似オムニ送信を示す。なお、ＳＳＷフィールドは、ＢＴＩにおけるＤＭＧビーコンの一構成要素としても使用でき、Ａ−ＢＦＴにおけるＳＳＷフレームの一構成要素としても使用できる。
【００８６】
なお、擬似オムニ送信ＤＭＧビーコンは、ＢＴＩの先頭において送信され、迅速な発見のため、ＳＳＩＤ、ＤＭＧ能力、および、その他の情報を含み、相互アンテナトレーニングに用いるＴＲＮ−Ｒシーケンスが付加される。なお、ＴＲＮ−Ｒシーケンスは、例えば、疑似オムニ送信の範囲において指向性送信される。
【００８７】
なお、擬似オムニ送信ＤＭＧビーコンの後段において送信される指向性送信ＤＭＧビーコンは、ＢＴＩの時間長を短くするために、ＳＳＩＤ、ＤＭＧ能力、およびその他の情報を省略してもよい。
【００８８】
次に、ＳＴＡは、1つ以上の擬似オムニ送信および１つ以上の指向性送信であるＤＭＧビーコンを受信し、擬似オムニ送信の範囲において指向性送信されたＴＲＮ−Ｒシーケンスの受信から最良の受信セクタを識別して格納する。なお、ＳＴＡは、アンテナの相互関係に基づいて最良の受信セクタから最良の送信セクタを識別して格納する。
【００８９】
ＳＴＡは、発見情報を、例えば、上位層、または、サプリカントなどの接続管理ソフトウェアに報告し、ＡＰ／ＰＣＰへの接続命令を上位層、接続管理ソフトウェアまたは、ユーザから受信する。
【００９０】
次いで、ＤＴＩにおいて、ＳＴＡは、ＴＲＮ−Ｒシーケンスを付加したアソシエーション要求を、ＡＰに指向性送信することによって接続する。なお、ＳＴＡは、ＴＲＮ−Ｒシーケンスを疑似オムニ送信する。
【００９１】
ＡＰは、擬似オムニ受信によって、アソシエーション要求を受信し、ＴＲＮ−Ｒシーケンスの受信から最良の受信セクタを識別して格納する。なお、ＡＰは、アンテナの相互関係に基づいて最良の受信セクタから最良の送信セクタを識別して格納する。
【００９２】
ＡＰは、ＳＴＡからのアソシエーション要求に対してＡＣＫを指向性送信し、その後、アソシエーション応答を送信することによって、ＳＴＡの要求に応答する。
【００９３】
ＳＴＡは、アソシエーション要求に対するＡＣＫおよびアソシエーション応答を受信し、ＡＰからのアソシエーション応答に対してＡＣＫで応答する。
【００９４】
ＡＰは、アソシエーション応答に対するＡＣＫを受信することで、ＳＴＡおよびＡＰが、接続確立を完了する。
【００９５】
以上より、ＤＭＧビーコンフレームを擬似オムニ送信する、または、指向性送信されるビームフォーミングトレーニング（ＴＲＮ）シーケンスをＤＭＧビーコンフレームに付加することができる。
【００９６】
相互アンテナトレーニングのために指向性送信されるＴＲＮシーケンスを、ＢＴＩにおいて、ＤＭＧビーコンの擬似オムニ送信に付加してもよい。
【００９７】
また、擬似オムニ送信の位置が固定されている場合（例：ＢＴＩの先頭）、明示的な指示情報を含まなくてもよい。
【００９８】
例えば、Ａ−ＢＦＴを省略する場合、擬似オムニ送信に、デバイスの発見に用いる追加情報を含めることができる。
【００９９】
追加情報を含むＤＭＧビーコンの擬似オムニ送信は、ＢＴＩの先頭において送信することができる。これにより、例えば、レガシーデバイスが追加情報を解析できる。
【０１００】
デバイス（ＳＴＡ）は、送信するフレームを、リンク確立フレーム（例：アソシエーション要求）とすることができる。
【０１０１】
以上より、制御ＭＣＳによる擬似オムニ送信の範囲内のデバイスを、高速または優先的に発見することができる。
【０１０２】
ピアデバイス（ＡＰ）は、ＢＴＩにおいて擬似オムニ送信を含めることによって、デバイスの発見／デバイスとの接続を実行するかどうかを認識することができる。
【０１０３】
ピアデバイス（ＡＰ）は、ＢＴＩの擬似オムニ送信に発見情報を含めることによって、最小限のオーバーヘッドでデバイス（ＳＴＡ）を発見することができる。
【０１０４】
ピアデバイスは、擬似オムニ送信および指向性ＴＲＮシーケンスを使用することにより、Ａ−ＢＦＴを省略できるため、ビームフォーミング時間を短縮することができる。
【０１０５】
なお、ピアデバイスによって複数の擬似オムニ送信が使用される場合、デバイスは、ピアデバイスの発見／ピアデバイスへの応答を優先させることができる。
【０１０６】
上記各実施の形態では、本開示はハードウェアを用いて構成する例にとって説明したが、本開示はハードウェアとの連携においてソフトウェアでも実現することも可能である。
【０１０７】
また、上記各実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１０８】
また、集積回路化の手法はＬＳＩに限るものではなく、専用回路または汎用プロセッサを用いて実現してもよい。ＬＳＩ製造後に、プログラムすることが可能なＦＰＧＡ（Field Programmable Gate Array）、ＬＳＩ内部の回路セルの接続又は設定を再構成可能なリコンフィギュラブル  プロセッサ（Reconfigurable Processor）を利用してもよい。
【０１０９】
さらには、半導体技術の進歩又は派生する別技術により、ＬＳＩに置き換わる集積回路化の技術が登場すれば、当然、その技術を用いて機能ブロックを集積化してもよい。バイオ技術の適用等が可能性としてありえる。
【０１１０】
本開示に係る実施の形態の種々の態様として、以下のものが含まれる。
【０１１１】
本開示の第１の開示に係る無線通信装置は、複数のＤＭＧビーコンを含む送信フレームを生成するフレーム構成部と、ＢＴＩにおいて、前記複数のＤＭＧビーコンのうち、１つ以上の第１のＤＭＧビーコンに対して、第１の位相調整を行うことによって指向性送信を１つ以上の送信セクタを用いて行い、前記複数のＤＭＧビーコンのうち、１つ以上の第２のＤＭＧビーコンに対して、第２の位相調整を行うことによって疑似オムニ送信を行う、送信無線部と、を含む。
【０１１２】
本開示の第２の開示に係る無線通信装置は、ＤＴＩにおいて、前記複数のＤＭＧビーコンを送信した通信相手より、疑似オムニ送信により送信されたプローブ応答及び相互アンテナトレーニングに用いるシーケンス信号を受信する受信部と、前記シーケンス信号に示される通信相手の受信セクタに対応する送信セクタを前記１つ以上の送信セクタから選択する制御部と、を含む。
【０１１３】
本開示の第３の開示に係る無線通信装置は、前記フレーム構成部は、前記プローブ応答に対するａｃｋ信号を生成し、前記送信無線部は、前記ａｃｋ信号を前記選択した送信セクタを用いて、指向性送信を行う。
【産業上の利用可能性】
【０１１４】
本開示は、無線通信装置に用いるのに好適である。
【符号の説明】
【０１１５】
１０１  制御部
１０２  フレーム信号生成部
１０３  フレーム構成部
１０４  変調部
１０５  送信無線部
１０６  送信アンテナ部
１０７  受信アンテナ部
１０８  受信無線部
１０９  復調部
１１０  フレーム解析部
【図１】
2017163540.tif 000003
【図２】
2017163540.tif 000004
【図３】
2017163540.tif 000005
【図４】
2017163540.tif 000006
【図５】
2017163540.tif 000007
【図６】
2017163540.tif 000008
【図７】
2017163540.tif 000009
【図８】
2017163540.tif 000010
【図９】
2017163540.tif 000011